(57)【要約】【課題】ハードウェアの異常時検出・制御回路を省き、コスト削減を実現できる、異常時保護機能を有するシステム及びその保護方法並びに異常時保護機能を有する表示システム及びその保護方法を提供する。【解決手段】インバータ回路１と表示デバイス制御回路２という構成に対し、本発明に従って、異常時検出信号をインバータ回路１から表示デバイス制御マイコン２１のもつ、ＧＰＩＯピンにいれてやることで、表示デバイス制御マイコン２１がインバータ回路１の状態を常に監視し、インバータ回路１から異常時検出信号のアラーム信号があがった場合に、表示デバイス制御マイコン２１がインバータＯＮ／ＯＦＦ信号を用い、インバータ回路１をＯＦＦさせる動作を実行する。【選択図】      図１
2004328919.tif 000002
【特許請求の範囲】
【請求項１】
所定の回路と、所定の回路を制御する制御マイコンを有する制御回路とから構成され、
前記所定の回路は、前記制御マイコンのＧＰＩＯピンに前記所定の回路の異常時検出信号を供給し、
前記制御マイコンは、入ってきた前記異常時検出信号を常時監視し、前記所定の回路に、該所定の回路をＯＮ／ＯＦＦさせるためのＯＮ／ＯＦＦ信号を前記制御マイコンのＧＰＩＯピンから供給し、
更に、前記制御マイコンは、前記異常時検出信号と前記ＯＮ／ＯＦＦ信号とを、前記制御マイコンのファームウェアにより制御し、前記異常時検出信号が異常の状態になった場合、前記ＯＮ／ＯＦＦ信号の状態を変えて前記所定の回路に供給し、
前記所定の回路は、前記ＯＮ／ＯＦＦ信号の状態により前記所定の回路をＯＮ／ＯＦＦする、異常時保護機能を有するシステム。
【請求項２】
請求項１に記載の異常時保護機能を有するシステムの保護方法であって、
正常時の場合、前記システムの電源をＯＮした場合は、前記制御マイコンから前記所定の回路に行く前記ＯＮ／ＯＦＦ信号がＨｉｇｈになり、
前記所定の回路は、前記ＯＮ／ＯＦＦ信号がＨｉｇｈになると前記所定の回路をＯＮさせ、
逆に、前記システムがスリープ状態やＯＦＦ状態になるときは、前記ＯＮ／ＯＦＦ信号がＬｏｗになり、
前記所定の回路は、前記ＯＮ／ＯＦＦ信号がＬｏｗになると前記所定の回路をＯＦＦさせ、
異常時の場合、前記システムの電源をＯＮした場合は、正常時と同様前記ＯＮ／ＯＦＦ信号がＨｉｇｈになり、
前記所定の回路は、前記ＯＮ／ＯＦＦ信号がＨｉｇｈになると前記所定の回路をＯＮさせ、
その動作中に前記所定の回路内で該所定の回路のオープンやショートが発生した場合、前記所定の回路から前記制御マイコンに対しての前記異常時検出信号がＬｏｗからＨｉｇｈになり、
前記制御マイコンは、前記異常時検出信号がＨｉｇｈになると前記所定の回路に異常が発生したと判断し、前記ＯＮ／ＯＦＦ信号をＬｏｗにし、
前記所定の回路は、前記ＯＮ／ＯＦＦ信号がＬｏｗになると前記所定の回路をＯＦＦさせ、
前記制御マイコンは、一度前記ＯＮ／ＯＦＦ信号をＬｏｗにすると、前記システムの電源がＯＦＦされるまでは前記ＯＮ／ＯＦＦ信号のＬｏｗ状態をラッチする、保護方法。
【請求項３】
インバータ回路と、表示デバイス制御マイコンを有する表示デバイス制御回路と、表示デバイスと、前記インバータ回路にて点灯させる表示デバイスバックライトとから構成され、
前記インバータ回路は、前記表示デバイス制御マイコンのＧＰＩＯピンに前記インバータ回路の異常時検出信号を供給し、
前記表示デバイス制御マイコンは、入ってきた前記異常時検出信号を常時監視し、前記インバータ回路に、該インバータ回路をＯＮ／ＯＦＦさせるためのインバータＯＮ／ＯＦＦ信号を前記表示デバイス制御マイコンのＧＰＩＯピンから供給し、
更に、前記表示デバイス制御マイコンは、前記異常時検出信号と前記インバータＯＮ／ＯＦＦ信号とを、前記表示デバイス制御マイコンのファームウェアにより制御し、前記異常時検出信号が異常の状態になった場合、前記インバータＯＮ／ＯＦＦ信号の状態を変えて前記インバータ回路に供給し、
前記インバータ回路は、前記インバータＯＮ／ＯＦＦ信号の状態により前記インバータ回路をＯＮ／ＯＦＦする、異常時保護機能を有する表示システム。
【請求項４】
請求項３に記載の異常時保護機能を有する表示システムの保護方法であって、
正常時の場合、前記表示システムの電源をＯＮした場合は、前記表示デバイス制御マイコンから前記インバータ回路に行く前記インバータＯＮ／ＯＦＦ信号がＨｉｇｈになり、
前記インバータ回路は、前記インバータＯＮ／ＯＦＦ信号がＨｉｇｈになると前記インバータ回路をＯＮさせ、
逆に、前記表示システムがスリープ状態やＯＦＦ状態になるときは、前記インバータＯＮ／ＯＦＦ信号がＬｏｗになり、
前記インバータ回路は、前記インバータＯＮ／ＯＦＦ信号がＬｏｗになると前記インバータ回路をＯＦＦさせ、
異常時の場合、前記表示システムの電源をＯＮした場合は、正常時と同様前記インバータＯＮ／ＯＦＦ信号がＨｉｇｈになり、
前記インバータ回路は、前記インバータＯＮ／ＯＦＦ信号がＨｉｇｈになると前記インバータ回路をＯＮさせ、
その動作中に前記インバータ回路内で該インバータ回路のオープンやショートが発生した場合、前記インバータ回路から前記表示デバイス制御マイコンに対しての前記異常時検出信号がＬｏｗからＨｉｇｈになり、
前記表示デバイス制御マイコンは、前記異常時検出信号がＨｉｇｈになると前記インバータ回路に異常が発生したと判断し、前記インバータＯＮ／ＯＦＦ信号をＬｏｗにし、
前記インバータ回路は、前記インバータＯＮ／ＯＦＦ信号がＬｏｗになると前記インバータ回路をＯＦＦさせ、
前記表示デバイス制御マイコンは、一度前記インバータＯＮ／ＯＦＦ信号をＬｏｗにすると、前記表示システムの電源がＯＦＦされるまでは前記インバータＯＮ／ＯＦＦ信号のＬｏｗ状態をラッチする、保護方法。
【発明の詳細な説明】
【０００１】
【発明の属する技術分野】
本発明は、異常時保護機能を有するシステム及びその保護方法に関し、特に異常時保護機能を有する表示システム及びその保護方法に関する。
【０００２】
【従来の技術】
従来の技術としては、直流安定化電源の出力側に電源の出力電圧を監視する電源電圧監視装置を設け、出力電圧がマイクロコンピュータ（マイコン）の動作領域を逸脱した時に、電源電圧監視装置が電源電圧異常検出信号を出力してマイクロコンピュータ（マイコン）の出力を止めインバータを停止させるようにしたインバータ装置がある（例えば、特許文献１参照。）。
【０００３】
また、所定値と検出された直流−交流インバータに流れ込む直流電流値とをマイクロコンピュータ（マイコン）により比較した結果に応じて、直流−交流インバータの出力電圧を制御して直流−交流インバータに流れ込む電流値を所定値に近づけ、過電流に起因する負荷の破損を防止する、インバータ装置がある（例えば、特許文献２参照。）。
【０００４】
また、過電流検出回路を有するインバータ装置において、この過電流検出回路の出力信号を常時マイクロコンピュータ（マイコン）に入力し、一定時間毎にその過電流信号の回数をカウントさせることにより、過電流によるインバータ主回路内のパワートランジスタのベース遮断操作が連続して続いていることを検出し、マイクロコンピュータ（マイコン）によるインバータ主回路内のパワートランジスタを保護する、インバータの過電流検出方法がある（例えば、特許文献３参照。）。
【０００５】
また、コンピュータ回路からの管電流設定要求値に基づいて、管電流設定回路は直流−交流変換回路の動作を停止する過電流設定回路の保護機能の動作レベルの設定を調節する、即ち、出力異常時における発煙、発火防止のための保護回路に、管電流の変化に応じて保護回路の動作レベルを調節する機能を付設した、保護回路付きインバータがある（例えば、特許文献４参照。）。
【０００６】
【特許文献１】
特開昭６１−１１６９７１号公報
【特許文献２】
特開昭６３−０６９４６４号公報
【特許文献３】
特開平０１−０４３０６７号公報
【特許文献４】
特開平１１−３５５９６０号公報
【０００７】
【発明が解決しようとする課題】
従来、インバータの異常時検出・制御回路はインバータ回路内で行っていた。そのため、従来のハードウェアでの制御では異常状態を制御するための回路（ラッチ回路、タイマー）などが必要となり、コストがかかるという課題があった。
【０００８】
上述の特許文献４では異常検出および保護回路をハードウェアにて実現させており、ファームウェア（ソフト的）にては実施していない。
【０００９】
本発明の目的は、ハードウェアの異常時検出・制御回路を省き、コスト削減を実現できる、異常時保護機能を有するシステム及びその保護方法並びに異常時保護機能を有する表示システム及びその保護方法を提供することにある。
【００１０】
【課題を解決するための手段】
本発明の異常時保護機能を有するシステムは、
所定の回路と、所定の回路を制御する制御マイコンを有する制御回路とから構成され、所定の回路は、制御マイコンのＧＰＩＯピンに所定の回路の異常時検出信号を供給し、制御マイコンは、入ってきた異常時検出信号を常時監視し、所定の回路に、所定の回路をＯＮ／ＯＦＦさせるためのＯＮ／ＯＦＦ信号を制御マイコンのＧＰＩＯピンから供給し、更に、制御マイコンは、異常時検出信号とＯＮ／ＯＦＦ信号とを、制御マイコンのファームウェアにより制御し、異常時検出信号が異常の状態になった場合、ＯＮ／ＯＦＦ信号の状態を変えて所定の回路に供給し、所定の回路は、ＯＮ／ＯＦＦ信号の状態により所定の回路をＯＮ／ＯＦＦする。
【００１１】
本発明の保護方法は、
上述の異常時保護機能を有するシステムの保護方法であって、
正常時の場合、システムの電源をＯＮした場合は、制御マイコンから所定の回路に行くＯＮ／ＯＦＦ信号がＨｉｇｈになり、所定の回路は、ＯＮ／ＯＦＦ信号がＨｉｇｈになると所定の回路をＯＮさせ、逆に、システムがスリープ状態やＯＦＦ状態になるときは、ＯＮ／ＯＦＦ信号がＬｏｗになり、所定の回路は、ＯＮ／ＯＦＦ信号がＬｏｗになると所定の回路をＯＦＦさせ、異常時の場合、システムの電源をＯＮした場合は、正常時と同様ＯＮ／ＯＦＦ信号がＨｉｇｈになり、所定の回路は、ＯＮ／ＯＦＦ信号がＨｉｇｈになると所定の回路をＯＮさせ、その動作中に所定の回路内で所定の回路のオープンやショートが発生した場合、所定の回路から制御マイコンに対しての異常時検出信号がＬｏｗからＨｉｇｈになり、制御マイコンは、異常時検出信号がＨｉｇｈになると所定の回路に異常が発生したと判断し、ＯＮ／ＯＦＦ信号をＬｏｗにし、所定の回路は、ＯＮ／ＯＦＦ信号がＬｏｗになると所定の回路をＯＦＦさせ、制御マイコンは、一度ＯＮ／ＯＦＦ信号をＬｏｗにすると、システムの電源がＯＦＦされるまではＯＮ／ＯＦＦ信号のＬｏｗ状態をラッチする。
【００１２】
本発明の異常時保護機能を有する表示システムは、
インバータ回路と、表示デバイス制御マイコンを有する表示デバイス制御回路と、表示デバイスと、前記インバータ回路にて点灯させる表示デバイスバックライトとから構成され、インバータ回路は、表示デバイス制御マイコンのＧＰＩＯピンにインバータ回路の異常時検出信号を供給し、表示デバイス制御マイコンは、入ってきた異常時検出信号を常時監視し、インバータ回路に、インバータ回路をＯＮ／ＯＦＦさせるためのインバータＯＮ／ＯＦＦ信号を表示デバイス制御マイコンのＧＰＩＯピンから供給し、更に、表示デバイス制御マイコンは、異常時検出信号とインバータＯＮ／ＯＦＦ信号とを、表示デバイス制御マイコンのファームウェアにより制御し、異常時検出信号が異常の状態になった場合、インバータＯＮ／ＯＦＦ信号の状態を変えてインバータ回路に供給し、インバータ回路は、インバータＯＮ／ＯＦＦ信号の状態によりインバータ回路をＯＮ／ＯＦＦする。
【００１３】
本発明の保護方法は、
上述の異常時保護機能を有する表示システムの保護方法であって、
正常時の場合、表示システムの電源をＯＮした場合は、表示デバイス制御マイコンからインバータ回路に行くインバータＯＮ／ＯＦＦ信号がＨｉｇｈになり、インバータ回路は、インバータＯＮ／ＯＦＦ信号がＨｉｇｈになるとインバータ回路をＯＮさせ、逆に、表示システムがスリープ状態やＯＦＦ状態になるときは、インバータＯＮ／ＯＦＦ信号がＬｏｗになり、インバータ回路は、インバータＯＮ／ＯＦＦ信号がＬｏｗになるとインバータ回路をＯＦＦさせ、異常時の場合、表示システムの電源をＯＮした場合は、正常時と同様インバータＯＮ／ＯＦＦ信号がＨｉｇｈになり、インバータ回路は、インバータＯＮ／ＯＦＦ信号がＨｉｇｈになるとインバータ回路をＯＮさせ、その動作中にインバータ回路内でインバータ回路のオープンやショートが発生した場合、インバータ回路から表示デバイス制御マイコンに対しての異常時検出信号がＬｏｗからＨｉｇｈになり、表示デバイス制御マイコンは、異常時検出信号がＨｉｇｈになるとインバータ回路に異常が発生したと判断し、インバータＯＮ／ＯＦＦ信号をＬｏｗにし、インバータ回路は、インバータＯＮ／ＯＦＦ信号がＬｏｗになるとインバータ回路をＯＦＦさせ、表示デバイス制御マイコンは、一度インバータＯＮ／ＯＦＦ信号をＬｏｗにすると、表示システムの電源がＯＦＦされるまではインバータＯＮ／ＯＦＦ信号のＬｏｗ状態をラッチする。
【００１４】
本発明は表示デバイス用インバータにおける異常時（オープン、ショート）検出回路／制御回路の部分を、本来はインバータ回路のＯＮ／ＯＦＦ用のみで使用している信号をインバータ外部回路のファームウェアにて制御させることで異常時の保護をすることを特徴としている。
【００１５】
インバータ回路と表示デバイス制御回路という構成に対し、本発明に従って、異常時検出信号をインバータ回路から表示デバイス制御マイコンのもつ、ＧＰＩＯピンにいれてやることで、表示デバイス制御マイコンがインバータ回路の状態を常に監視し、インバータ回路から異常時検出信号のアラーム信号があがった場合に、表示デバイス制御マイコンがインバータＯＮ／ＯＦＦ信号を用い、インバータ回路をＯＦＦさせる動作を実行する。
【００１６】
従って、表示デバイス制御マイコンがインバータ回路の異常時を検出し、制御（インバータ回路の動作を停止）するという効果が得られる。
【００１７】
本発明は、表示デバイス制御マイコンのファームウェア機能でインバータの異常時検出・制御が可能であることに着眼したものであり、本発明によりハードウェア的なインバータ異常時検出・制御回路を省き、コスト削減を実現できる。
【００１８】
ただし、従来のインバータ回路内にもっていた異常時検出・制御回路を、インバータ外部のマイコンで制御させるため、インバータ回路と外部回路がセットで初めて異常時検出・制御が動作する。
【００１９】
【発明の実施の形態】
（発明の第１の実施の形態）
図１に本発明の第１の実施の形態の表示システム１００の回路ブロック図を示す。
【００２０】
本発明の第１の実施の形態の表示システム１００は、インバータ回路１と表示デバイス制御マイコン２１を有する表示デバイス制御回路２と表示デバイス３とインバータ回路１にて点灯させる表示デバイスバックライト４とから構成される。
【００２１】
インバータ回路１から表示デバイス制御マイコン２１のＧＰＩＯピンにインバータ回路１の異常時検出信号（以下ＩＮＶ＿ＡＢＮと記す）を供給する。
【００２２】
表示デバイス制御マイコン２１は入ってきた異常時検出信号（ＩＮＶ＿ＡＢＮ）を常時監視する。表示デバイス制御マイコン２１はインバータ回路１に、インバータ回路１をＯＮ／ＯＦＦさせるためのインバータＯＮ／ＯＦＦ信号（以下ＩＮＶ＿ＥＮＢＫＬと記す）を供給しており、インバータ回路１はインバータＯＮ／ＯＦＦ信号（ＩＮＶ＿ＥＮＢＫＬ）の状態によりインバータ回路１をＯＮ／ＯＦＦする。
【００２３】
表示デバイス制御マイコン２１は異常時検出信号（ＩＮＶ＿ＡＢＮ）が異常の状態になった場合、インバータＯＮ／ＯＦＦ信号（ＩＮＶ＿ＥＮＢＫＬ）の状態を変え、インバータ回路１をＯＦＦさせる。
【００２４】
異常時検出信号（ＩＮＶ＿ＡＢＮ）とインバータＯＮ／ＯＦＦ信号（ＩＮＶ＿ＥＮＢＫＬ）は表示デバイス制御マイコン２１のＧＰＩＯピンに接続させ、表示デバイス制御マイコン２１のファームウェア（プログラム）により制御する。
【００２５】
以下に、本発明の第１の実施の形態の表示システム１００の動作を図２のタイミングチャートを用いて説明する。
【００２６】
まず、正常時の動作を説明する。表示システム１００の電源をＯＮした場合は、表示デバイス制御マイコン２１からインバータ回路１に行くインバータＯＮ／ＯＦＦ信号（ＩＮＶ＿ＥＮＢＫＬ）がＨｉｇｈになる（Ａｃｔｉｖｅ  Ｈｉｇｈ）。
【００２７】
インバータ回路１はＩＮＶ＿ＥＮＢＫＬがＨｉｇｈになるとインバータ回路１をＯＮさせる。
【００２８】
逆に、表示システム１００がスリープ状態やＯＦＦ状態になるときは、ＩＮＶ＿ＥＮＢＫＬがＬｏｗになり、インバータ回路１がＯＦＦされる。
【００２９】
次に異常時の動作を説明する。表示システム１００の電源をＯＮした場合は、正常時と同様ＩＮＶ＿ＥＮＢＫＬがＨｉｇｈになりインバータ回路１をＯＮさせる。
【００３０】
その動作中にインバータ回路１内で回路のオープンやショートが発生した場合、インバータ回路１から表示デバイス制御マイコン２１に対しての異常時検出信号（ＩＮＶ＿ＡＢＮ）がＬｏｗからＨｉｇｈになる（Ａｃｔｉｖｅ  Ｈｉｇｈ）。
【００３１】
表示デバイス制御マイコン２１はＩＮＶ＿ＡＢＮがＨｉｇｈ状態になるとインバータ回路１に異常が発生したと判断し、ＩＮＶ＿ＥＮＢＫＬをＬｏｗにし、強制的にインバータ回路１をＯＦＦする。
【００３２】
一度ＩＮＶ＿ＥＮＢＫＬをＬｏｗにすると、表示システム１００の電源がＯＦＦされるまではＩＮＶ＿ＥＮＢＫＬのＬｏｗ状態をラッチする。
【００３３】
（発明の第２の実施の形態）
本発明の第１の実施の形態の表示システム１００に限らず、ハードウェアにて異常時の検出・制御回路を有し、別の回路に他の検出・制御のための制御マイコンを搭載したシステムにおいても、本発明の第１の実施の形態と同様に制御マイコンにて異常時の検出・制御を行う本発明の第２の実施の形態のシステムができる。本発明の第２の実施の形態のシステムも、第１の実施の形態の表示システム１００と同等の効果を得ることが可能となり、そのシステムにおいてのコストも有利となる。
【００３４】
【発明の効果】
以上説明したように、本発明には以下の効果がある。
【００３５】
インバータの異常時検出・制御を、インバータ回路外の表示デバイス制御マイコンのＧＰＩＯピンを使用し、ファームウェアで制御することで、従来のインバータ回路のハードウェアでの制御に比べ安価に制御回路を組むことが可能となる。
【００３６】
それは従来のハードウェアでの制御では異常状態を制御するための回路（ラッチ回路、タイマー）などが必要となるが、本発明ではそのラッチ回路やタイマーをファームウェアにて行い、もともと表示デバイス制御マイコンに搭載されたＧＰＩＯピンを使用するため、そのための回路が不要となる。よってハードウェアのコストにおいて有利となる。
【図面の簡単な説明】
【図１】本発明の第１の実施の形態の表示システムの回路ブロック図である。
【図２】本発明の第１の実施の形態の表示システムの動作を示すタイミングチャートである。
【符号の説明】
１    インバータ回路
２    表示デバイス制御回路
３    表示デバイス
４    表示デバイスバックライト
２１    表示デバイス制御マイコン
１００    表示システム
【図１】
2004328919.tif 000003
【図２】
2004328919.tif 000004